(57)【要約】【課題】伝送される情報データの重要度が高い場合に受信側で復号される情報データの信頼性を高めることのできるデジタル情報伝送システムを提供する。【解決手段】デジタル情報伝送システムは、情報データ及び情報データの識別情報を含むデータフレームを複数回送信する送信装置Ａと、送信装置Ａから受信した同一の識別情報を含む複数のデータフレーム間でそれらに含まれた情報データの一致率をビット毎に算出し、算出した一致率が判定閾値を超える各ビットの値の組み合わせからなるビット列を情報データとして採用する受信装置Ｂとを含む。【選択図】図１
2018133671.tif 000002
【特許請求の範囲】
【請求項１】
情報データ及び情報データの識別情報を含むデータフレームを複数回送信する送信装置と、
前記送信装置から受信した同一の識別情報を含む複数のデータフレーム間でそれらに含まれた情報データの一致率をビット毎に算出し、算出した一致率が判定閾値を超える各ビットの値の組み合わせからなるビット列を情報データとして採用する受信装置と、
を含む、デジタル情報伝送システム。
【請求項２】
前記データフレームは、前記判定閾値をさらに含む、請求項１に記載のデジタル情報伝送システム。
【請求項３】
前記受信装置は、受信済みのデータフレームに含まれた識別情報と同一の識別情報を含むデータフレームを新たに受信するたびに、これらのデータフレームに含まれた情報データの一致率をビット毎に算出する、請求項１又は２に記載のデジタル情報伝送システム。
【請求項４】
前記データフレームは、前記情報データに対する誤り検出符号をさらに含み、
前記受信装置は、受信したデータフレームに含まれた情報データに誤りがない場合には当該誤りのない情報データをそのまま採用する、
請求項１〜３のいずれか一つに記載のデジタル情報伝送システム。
【請求項５】
前記送信装置は、前記データフレームをＮ回送信するように構成され、
前記受信装置は、前記同一の識別情報を含むデータフレームをＮ回受信する前に情報データとして採用するビット列又は誤りのない情報データが得られた場合、その旨の情報を前記送信装置に送信する、
請求項１〜４のいずれか一つに記載のデジタル情報伝送システム。
【請求項６】
前記データフレームは、同一の情報データを複数含む、請求項１〜５のいずれか一つに記載のデジタル情報伝送システム。
【発明の詳細な説明】
【技術分野】
【０００１】
本発明は、送信装置と受信装置との間で情報データを伝送するデジタル情報伝送システムに関する。
【背景技術】
【０００２】
特許文献１には、複数の無線周波数チャネルを共同利用して通信を行う制御局と移動局とからなるデジタルＭＣＡシステムが記載されている。特許文献１に記載のデジタルＭＣＡシステムにおいて、前記制御局は、情報データ及び情報データに対する誤り検出符号を含むフレームを前記移動局に複数回送信し、前記移動局は、前記制御局から３回以上の奇数回送信されてきた同一フレームの各情報データの全てに誤りが検出された場合、ビット毎に多数決判定を行って情報データを復号するようにしている。
【先行技術文献】
【特許文献】
【０００３】
【特許文献１】特開平６−２１６８３９号公報
【発明の概要】
【発明が解決しようとする課題】
【０００４】
しかし、上記従来の技術においては、誤りが検出された情報データの各ビットが単に多数決によって決定されており、情報データの重要度などが全く考慮されていない。また、多数決によって決定される各ビット、すなわち、復号された情報データは、十分な信頼性を有しているとは言えず、重要度の高い情報データが伝送されるシステムにはそのまま適用することができない。
【０００５】
そこで、本発明は、伝送される情報データの重要度が高い場合に受信側で復号される情報データの信頼性を高めることのできるデジタル情報伝送システムを提供することを目的とする。
【課題を解決するための手段】
【０００６】
本発明の一側面によると、デジタル情報伝送システムは、情報データ及び情報データの識別情報を含むデータフレームを複数回送信する送信装置と、前記送信装置から受信した同一の識別情報を含む複数のデータフレーム間でそれらに含まれた情報データの一致率をビット毎に算出し、算出した一致率が判定閾値を超える各ビットの値の組み合わせからなるビット列を情報データとして採用する受信装置と、を含む。
【発明の効果】
【０００７】
本発明によれば、情報データの重要度が高い場合に前記判定閾値が高く設定されることにより、前記受信装置が採用する情報データの信頼性、換言すれば、情報データの伝送の正確性を高めることができる。
【図面の簡単な説明】
【０００８】
【図１】本発明の第１実施形態に係るデジタル情報伝送システムの概略構成を示す図である。
【図２】前記第１実施形態に係るデジタル情報伝送システムで使用されるデータフレームの構成を示す図である。
【図３】前記第１実施形態に係るデジタル情報伝送システムにおける送信装置による前記データフレームの送信方法の一例を示す図である。
【図４】前記第１実施形態に係るデジタル情報伝送システムにおける受信装置による処理結果の一例を示す図である。
【図５】本発明の第２実施形態に係るデジタル情報伝送システムの概略構成を示す図である。
【図６】前記第２実施形態に係るデジタル情報伝送システムで使用されるデータフレームの構成を示す図である。
【図７】前記第２実施形態に係るデジタル情報伝送システムにおける送信装置による前記データフレームの送信方法の一例を示す図である。
【図８】前記第２実施形態に係るデジタル情報伝送システムにおける受信装置による処理の結果の一例を示す図である。
【図９】前記第２実施形態に係るデジタル情報伝送システムにおける受信装置による処理の結果の他の例を示す図である。
【図１０】（Ａ）前記第１実施形態に係るデジタル情報伝送システムで使用される他のデータフレームの変形例を示す図であり、（Ｂ）前記第２実施形態に係るデジタル情報伝送システムで使用されるデータフレームの変形例を示す図である。
【図１１】（Ａ）前記第１実施形態に係るデジタル情報伝送システムで使用されるデータフレームの他の変形例を示す図であり、（Ｂ）前記第２実施形態に係るデジタル情報伝送システムで使用されるデータフレームの他の変形例を示す図である。
【発明を実施するための形態】
【０００９】
［第１実施形態］
図１は、本発明の第１実施形態に係るデジタル情報伝送システムの概略構成を示す図である。図１に示されるように、第１実施形態に係るデジタル情報伝送システムは、送信装置Ａ及び受信装置Ｂを含む。
【００１０】
送信装置Ａは、情報データ生成部１１、データフレーム生成部１２及び無線通信部１３を含む。情報データ生成部１１は、所定の周期で情報データ（ビット列）ＤＡＴを生成する。データフレーム生成部１２は、情報データ生成部１１によって生成された情報データＤＡＴに識別情報ＩＤを付すと共に、図２に示されるような構成を有するデータフレームＤＦ、すなわち、送信元情報ＳＲＣ、送信先（宛先）情報ＤＳＴ、情報データＤＡＴの識別情報ＩＤ及び情報データＤＡＴを含むデータフレームＤＦを生成する。無線通信部１３は、データフレーム生成部１２によって生成されたデータフレームＤＦを複数回繰り返して無線送信する。ここで、データフレームＤＦの送信（繰り返し）間隔は、情報データＤＡＴの生成周期に比べて十分に短い期間に設定される。
【００１１】
受信装置Ｂは、無線通信部２１及び受信処理部２２を含む。無線通信部２１は、無線送信されてきたデータフレームＤＦを受信する。受信処理部２２は、無線通信部２１によって受信された、同一の送信元情報ＳＲＣ、送信先（宛先）情報ＤＳＴ及び識別情報ＩＤを含む複数のデータフレームＤＦの間でそれらに含まれた情報データＤＡＴの一致率をビット毎に算出し、算出した一致率が判定閾値ＴＨを超える各ビットの値からなるビット列を情報データＤＡＴとして採用する。判定閾値ＴＨは、送信装置Ａから受信装置Ｂに送信される情報データＤＡＴの重要度に応じて設定される値であり、情報データＤＡＴの重要度が高いほど高い値に設定される。本実施形態においては、情報データＤＡＴの送信元である送信装置Ａに対してあらかじめ設定された判定閾値ＴＨを受信装置Ｂ（の受信処理部２２）が記憶している。例えば、受信装置Ｂは、送信装置と判定閾値ＴＨとが対応付けられた判定閾値テーブルを有し、データフレームＤＦに含まれた送信元情報ＳＲＣに基づき前記判定閾値テーブルを参照することによって判定閾値ＴＨを設定し得る。
【００１２】
本実施形態において、前記同一の送信元情報ＳＲＣは送信装置Ａを示す情報を意味し、前記同一の送信先情報ＤＳＴは受信装置Ｂを示す情報を意味する。すなわち、上述の「同一の送信元情報ＳＲＣ、送信先（宛先）情報ＤＳＴ及び識別情報ＩＤを含む複数のデータフレームＤＦ」とは、送信装置Ａから受信装置Ｂに対して送信され、かつ、同一の識別情報ＩＤを含む複数のデータフレームＤＦ、すなわち、送信装置Ａから受信装置Ｂに対して送信された同じ内容の複数のデータフレームＤＦのことを意味する。
【００１３】
次に、前記第１実施形態に係るデジタル情報伝送システムの動作の具体例を説明する。なお、本例において、判定閾値ＴＨは７０％に設定されているものとする。但し、これに限られるものではなく、判定閾値ＴＨは、５０％以上の任意の値に設定され得る。
【００１４】
［送信装置Ａの動作］
判定閾値ＴＨが７０％である場合に送信装置ＡによるデータフレームＤＦの繰り返し送信回数が３回以下に設定されると、受信装置Ｂは、受信した全てのデータフレームＤＦに含まれた情報データＤＡＴが一致する場合にしか、情報データＤＡＴとして採用するビット列を得ることができない。これでは、判定閾値ＴＨを設定した上でデータフレームＤＦを繰り返して送信する意味がない。したがって、送信装置Ａは、受信装置Ｂに対して同じ内容のデータフレームＤＦを少なくとも４回繰り返して送信する必要がある。本例においては、受信欠落が発生する場合があることを考慮して、送信装置Ａ（の無線通信部１３）は、受信装置Ｂに対して同じ内容のデータフレームＤＦを８回（＝４回×２）繰り返して送信するように構成されているものとする。
【００１５】
図３は、送信装置Ａによる受信装置Ｂに対するデータフレームＤＦの送信方法の一例を示す図である。この例において、情報データ生成部１１は、５００ｍｓ毎に８ビットの新しい情報データＤＡＴを生成し、無線通信部１３は、データフレーム生成部１２によって生成されたデータフレームＤＦを、情報データＤＡＴの生成周期である５００ｍｓに比べて十分に短い送信間隔（例えば１ｍｓ）で繰り返して送信する。
【００１６】
図３に示されるように、送信装置Ａにおいて、情報データ生成部１１が時刻Ｔ１に情報データＤＡＴ１を生成すると、データフレーム生成部１２は、データフレームＤＦ１を生成する。生成されるデータフレームＤＦ１には、送信装置Ａを示す「Ａ」が送信元情報ＳＲＣとして含まれ、受信装置Ｂを示す「Ｂ」が送信先（宛先）情報ＤＳＴとして含まれ、情報データＤＡＴ１の識別情報である「ＩＤ１」が識別情報ＩＤとして含まれ、情報データＤＡＴ１を示す「ＤＡＴ１」が情報データＤＡＴとして含まれている。そして、無線通信部１３は、データフレーム生成部１２によって生成されたデータフレームＤＦ１を受信装置Ｂに対して８回繰り返して送信する。
【００１７】
情報データＤＡＴ１の生成から５００ｍｓが経過した時刻Ｔ２になると、情報データ生成部１１は新しい情報データでＤＡＴ２を生成する。すると、データフレーム生成部１２は、新しいデータフレームＤＦ２を生成し、無線通信部１３は、データフレーム生成部１２によって生成されたデータフレームＤＦ２を受信装置Ｂに対して８回繰り返して送信する。
【００１８】
以降、送信装置Ａの情報データ生成部１１は、情報データＤＡＴｎ−１の生成から５００ｍｓが経過する度に新しい情報データＤＡＴｎを生成し、送信装置Ａのデータフレーム生成部１２は、データフレームＤＦｎを生成し、送信装置Ａの無線通信部１３は、データフレームＤＦｎを受信装置Ｂに対して８回繰り返して送信する。
【００１９】
［受信装置Ｂの動作］
本例において、受信装置Ｂの無線通信部２１は、送信装置Ａから同じ内容のデータフレームＤＦを最大で（すなわち、受信欠落がなければ）８回受信することになる。受信装置Ｂの受信処理部２２は、無線通信部２１がデータフレームＤＦを受信する度に、以下のような処理を実行する。
【００２０】
受信処理部２２は、無線通信部２１が受信したデータフレームＤＦに含まれた送信元情報ＳＲＣ、送信先情報ＤＳＴ及び識別情報ＩＤを確認し、無線通信部２１が受信したデータフレームＤＦに含まれた送信元情報ＳＲＣ、送信先情報ＤＳＴ及び識別情報ＩＤと同一の送信元情報ＳＲＣ、送信先情報ＤＳＴ及び識別情報ＩＤを含む受信済みデータフレームＤＦが保存されているか否かを判定する。前記受信済みデータが保存されている場合、受信処理部２２は、無線通信部２１が受信したデータフレームＤＦに含まれた情報データＤＡＴと、前記受信済みデータフレームＤＦに含まれた情報データＤＡＴとの一致率をビット毎に算出する（本例では８つの一致率を算出する）。そして、算出した一致率の全てが判定閾値ＴＨを超えた場合、受信処理部２２は、算出した一致率が判定閾値ＴＨを超える各ビットの値からなるビット列を情報データＤＡＴとして採用する。
【００２１】
なお、無線通信部２１が受信したデータフレームＤＦに含まれた送信先情報ＤＳＴが受信装置Ｂでない場合、受信処理部２２は、無線通信部２１が受信したデータフレームＤＦを破棄する。また、前記受信済みデータフレームＤＦが保存されていない場合、又は、算出した一致率の全てが判定閾値ＴＨを超えていない場合、受信処理部２２は、無線通信部２１が受信したデータフレームＤＦを保存し、無線通信部２１による新たなデータフレームＤＦの受信に備える。
【００２２】
ここで、受信処理部２２は、保存されている受信済みデータフレームＤＦと同一の送信元情報ＳＲＣ、送信先情報ＤＳＴ及び識別情報ＩＤを含む新たなデータフレームＤＦが受信されない状態が所定時間以上継続した場合、前記保存されている受信済みデータフレームＤＦを破棄するように構成され得る。なお、ここではデータフレームＤＦの送信回数が８回であるので、データフレームＤＦの送信間隔（繰り返し間隔）が１ｍｓである場合、前記所定時間は「１ｍｓ×７」よりも長い時間とされる。
【００２３】
また、同一の送信元情報ＳＲＣ、送信先情報ＤＳＴ及び識別情報ＩＤを含むデータフレームＤＦを複数回受信したにもかかわらず、最終的に情報データＤＡＴとして採用するビット列が得られなかった場合には、通信障害等が発生している可能性があるので、受信処理部２２は、無線通信部２１を介してその旨の情報を図示省略の管理センターなどに送信するように構成され得る。
【００２４】
図４は、受信装置Ｂの受信処理部２２による処理結果の一例を示している。図４において、「送信回数」は、送信装置Ａによる同じデータフレームＤＦの送信回数を示し、「受信回数」は、受信装置Ｂによる前記同じデータフレームＤＦの受信回数を示し、「受信された情報データ」は、受信装置Ｂによって受信されたデータフレームＤＦに含まれた８ビットの情報データＤＡＴを示し、「一致率（最低値）」は、各ビットの一致率のうちの最低の値を示している。なお、ここでは「００１０  １０１１」が送信装置Ａ（の情報データ生成部１１）によって生成された８ビットの情報データＤＡＴ、すなわち、正しい情報データＤＡＴとされている。
【００２５】
図４に示される例においては、送信装置Ａの無線通信部１３が同じ内容のデータフレームＤＦを５回送信し、受信装置Ｂの無線通信部２１が前記同じ内容のデータフレームＤＦを４回受信した時点で、受信装置Ｂの受信処理部２２は、情報データＤＡＴとして採用するビット列（００１０  １０１１）を得ている。
【００２６】
このような場合、受信処理部２２は、情報データＤＡＴとして採用するビット列が得られた旨を示す情報を、無線通信部２１を介して送信装置Ａに送信し、これによって、送信装置Ａの無線通信部１３によるデータフレームＤＦの６回目以降の送信を中止させるようにするのが好ましい。換言すれば、受信装置Ｂは、送信装置ＡによるデータフレームＤＦの送信回数（ここでは８回）と同じ回数データフレームＤＦを受信する前に、情報データＤＡＴとして採用するビット列が得られた場合、その旨又は当該データフレームＤＦの送信停止要求を送信装置Ａに送信することが好ましい。このようにすると、不要なデータフレームＤＦの送受信を防止することができ、送信装置Ａ及び／又は受信装置Ｂの負荷等が低減される。
【００２７】
［第２実施形態］
図５は、本発明の第２実施形態に係るデジタル情報伝送システムの概略構成を示す図である。なお、前記第１実施形態に係るデジタル情報伝送システム（図１）と共通する構成については同一の符号を付してその説明は省略する。図５に示されるように、第２実施形態に係るデジタル情報伝送システムは、送信装置Ｃ及び受信装置Ｄを含む。
【００２８】
送信装置Ｃは、情報データ生成部１１、誤り検出符号化部１４、データフレーム生成部１５及び無線通信部１３を含む。誤り検出符号化部１４は、情報データ生成部１１によって生成された情報データＤＡＴに対して誤り検出符号化を行って誤り検出符号ＦＣＳを生成する。データフレーム生成部１５は、図６に示すような構成を有するデータフレームＤＦ、すなわち、送信元情報ＳＲＣ、送信先（宛先）情報ＤＳＴ、情報データＤＡＴの識別情報ＩＤ、情報データＤＡＴ及び誤り検出符号ＦＣＳを含むデータフレームＤＦを生成する。
【００２９】
受信装置Ｄは、無線通信部２１及び受信処理部２３を含む。受信処理部２３は、無線通信部２１がデータフレームＤＦを受信すると、受信されたデータフレームＤＦに含まれた誤り検出符号ＦＣＳを用いて誤り判定を行う。そして、前記受信されたデータフレームＤＦの含まれた情報データＤＡＴに誤りがない場合、受信処理部２３は、前記受信されたデータに含まれた情報データＤＡＴ（すなわち、誤りのない情報データＤＡＴ）をそのまま採用する。また、受信処理部２３は、前記受信されたデータフレームＤＦに含まれた情報データＤＡＴに誤りがある場合、前記第１実施形態における受信処理部２２と同様、同一の送信元情報ＳＲＣ、送信先情報ＤＳＴ及び識別情報ＩＤを含む複数のデータフレームＤＦの間でそれらに含まれた情報データＤＡＴの一致率をビット毎に算出し、算出した一致率が判定閾値ＴＨを超える各ビットの値からなるビット列を情報データＤＡＴとして採用する。なお、判定閾値ＴＨは、例えば送信装置Ｃから受信装置Ｄに送信される情報データＤＡＴの重要度に応じて設定される値であり、情報データＤＡＴの送信元である送信装置Ｃに対してあらかじめ設定された判定閾値ＴＨを受信装置Ｄ（の受信処理部２３）が記憶している。
【００３０】
本実施形態において、前記同一の送信元情報ＳＲＣは送信装置Ｃを示す情報を意味し、前記同一の送信先情報ＤＳＴは受信装置Ｄを示す情報を意味する。すなわち、上述の「同一の送信元情報ＳＲＣ、送信先（宛先）情報ＤＳＴ及び識別情報ＩＤを含む複数のデータフレームＤＦ」とは、送信装置Ｃから受信装置Ｄに対して送信され、かつ、同一の識別情報ＩＤを含む複数のデータフレームＤＦ、すなわち、送信装置Ｃから受信装置Ｄに対して送信された同じ内容の複数のデータフレームＤＦのことを意味する。
【００３１】
次に、前記第２実施形態に係るデジタル情報伝送システムの動作の具体例を説明する。なお、本例においても、前記第１実施形態における具体例と同様、判定閾値ＴＨが７０％に設定されているものとする。
【００３２】
［送信装置Ｃの動作］
図７は、送信装置Ｃによるデータフレーム１０の送信方法の一例を示す図である。図７に示されるように、送信装置Ｃにおいて、情報データ生成部１１が時刻Ｔ１に情報データＤＡＴ１を生成すると、誤り検出符号化部１４は、情報データＤＡＴ１に対して誤り検出符号化を行って誤り検出符号ＦＣＳ１を生成し、データフレーム生成部１５は、データフレームＤＦ１を生成する。生成されたデータフレームＤＦ１には、送信装置Ｃを示す「Ｃ」が送信元情報ＳＲＣとして含まれ、受信装置Ｄを示す「Ｄ」が送信先（宛先）情報ＤＳＴとして含まれ、情報データＤＡＴ１の識別情報である「ＩＤ１」が識別情報ＩＤとして含まれ、情報データＤＡＴ１を示す「ＤＡＴ１」が情報データＤＡＴとして含まれ、誤り検出符号化部１４によって生成された誤り検出符号「ＦＣＳ１」が誤り検出符号ＦＣＳとして含まれている。そして、無線通信部１３は、データフレーム生成部１５によって生成されたデータフレームＤＦ１を受信装置Ｄに対して８回繰り返して送信する。
【００３３】
以降、送信装置Ｃの情報データ生成部１１は、情報データＤＡＴｎ−１の生成から５００ｍｓが経過する度に新しい情報データＤＡＴｎを生成し、送信装置Ｃの誤り検出符号化部１４は誤り検出符号ＦＣＳｎを生成し、送信装置Ｃのデータフレーム生成部１５は、データフレームＤＦｎを生成し、送信装置Ｃの無線通信部１３は、データフレームＤＦｎを受信装置Ｄに対して８回繰り返して送信する。
【００３４】
［受信装置Ｄの動作］
本例において、受信装置Ｄの無線通信部２１は、送信装置Ｃから同じ内容のデータフレームＤＦを最大で（すなわち、受信欠落がなければ）８回受信することになる。受信装置Ｄの受信処理部２３は、無線通信部２１がデータフレームＤＦを受信する度に、以下のような処理を実行する。
【００３５】
受信処理部２３は、まず無線通信部２１が受信したデータフレームＤＦに含まれた誤り検出符号ＦＣＳを用いて誤り判定を行う。そして、無線通信部２１が受信したデータフレームＤＦに含まれた情報データＤＡＴに誤りがない場合、受信処理部２３は、無線通信部２１が受信したデータフレームＤＦに含まれた情報データＤＡＴをそのまま採用する。
【００３６】
一方、無線通信部２１が受信したデータフレームＤＦに含まれた情報データＤＡＴに誤りがある場合、受信処理部２３は、前記第１実施形態における受信装置Ｂの受信処理部２２と同様の処理を実行して情報データＤＡＴとして採用するビット列を得る。ここで、情報データＤＡＴとして採用するビット列を得るための処理の途中で誤りのない情報データＤＡＴが得られた場合、受信処理部２３は、当該誤りのない情報データＤＡＴをそのまま採用し、情報データＤＡＴとして採用するビット列を得るための処理を終了させる。
【００３７】
図８、図９は、受信装置Ｄの受信処理部２３による処理結果の例を示している。なお、図８、図９において、「送信回数」は、送信装置Ｃによる同じデータフレームＤＦの送信回数を示し、「受信回数」は、受信装置Ｄによる前記同じデータフレームＤＦの受信回数を示し、「受信された情報データ」は、受信装置Ｄによって受信されたデータフレームＤＦに含まれた８ビットの情報データＤＡＴを示し、「誤り検出符号」は、誤り検出符号化部１４によって生成された誤り検出符号ＦＣＳを示し、「一致率（最低値）」は、各ビットの一致率のうちの最低の値を示している。なお、ここでは「００１０  １０１１」が送信装置Ｃ（の情報データ生成部１１）によって生成された８ビットの情報データＤＡＴ、すなわち、正しい情報データＤＡＴとされている。また、ここでは誤り検出符号ＦＣＳとして情報データＤＡＴをビット反転したビット列が用いられているが、これに限られるものではなく、ＣＲＣなどの巡回符号やその他の符号が用いられてもよい。
【００３８】
図８に示される例では、図４に示された例と同様、送信装置Ｃの無線通信部１３が同じ内容のデータフレームＤＦを５回送信し、受信装置Ｄの無線通信部２１が前記同じ内容のデータフレームＤＦを４回受信した時点で、受信装置Ｄの受信処理部２３は、情報データＤＡＴとして採用するビット列（００１０  １０１１）を得ている。すなわち、受信装置Ｄは、送信装置ＣによるデータフレームＤＦの送信回数と同じ回数データフレームＤＦを受信する前に、情報データＤＡＴとして採用するビット列が得ている。したがって、受信装置Ｄは、情報データＤＡＴとして採用するビット列が得られた旨又は当該データフレームＤＦの送信停止要求を送信装置Ｃに送信し、これによって、送信装置Ｃの無線通信部１３によるデータフレームＤＦのそれ以上の送信（６回目以降の送信）を中止させるようにするのが好ましい。
【００３９】
また、図９に示される例では、送信装置Ｃの無線通信部１３が同じ内容のデータフレームＤＦを２回送信し、受信装置Ｄの無線通信部２１が前記同じ内容のデータフレームＤＦを２回受信した時点で、受信装置Ｄの受信処理部２３は、誤りのない情報データＤＡＴを得ている。すなわち、受信装置Ｄは、送信装置ＣによるデータフレームＤＦの送信回数と同じ回数データフレームＤＦを受信する前に、誤りのない情報データＤＡＴを得ている。このような場合も、受信処理部２３は、誤りのない情報データＤＡＴが得られた旨を示す情報又は当該データフレームＤＦの送信停止要求を送信装置Ｃに送信し、これによって、送信装置Ｃの無線通信部１３によるデータフレームＤＦのそれ以上の送信（３回目以降の送信）を中止させるようにするのが好ましい。
【００４０】
なお、上述の実施形態（第１、第２実施形態）において、判定閾値ＴＨは、情報データＤＡＴの送信元である送信装置Ａ又は送信装置Ｃに対して設定されている。しかし、これに限られるものではない。判定閾値ＴＨは、情報データＤＡＴ毎に設定されてもよい。この場合、例えば、情報データＤＡＴの識別情報ＩＤが情報データＤＡＴの重要度を示す符号を含み、受信装置Ｂ及び受信装置Ｄは、情報データＤＡＴの重要度と判定閾値ＴＨとが対応付けられた判定閾値テーブルを有し、識別情報ＩＤに含まれた前記符号に基づき前記判定閾値テーブルを参照することによって判定閾値ＴＨを設定するように構成され得る。
【００４１】
また、上述の実施形態においては、受信装置Ｂ及び受信装置Ｄが判定閾値ＴＨを記憶している（有している）。しかし、これに限られるものではない。図１０（Ａ）、（Ｂ）に示されるように、データフレーム生成部１２、データフレーム生成部１５によって生成されるデータフレームＤＦが判定閾値ＴＨを含んでもよい。なお、図１０（Ａ）に示されたデータフレームＤＦは前記第１実施形態で使用され、図１０（Ｂ）に示されたデータフレームＤＦは前記第２実施形態で使用される。この場合、受信装置Ｂの受信処理部２２及び受信装置Ｄの受信処理部２３は、無線通信部２１が受信したデータフレームＤＦに含まれた判定閾値ＴＨを使用して、上述のような情報データＤＡＴとして採用するビット列を得るための処理を実行する。
【００４２】
また、図１１（Ａ）、（Ｂ）に示されるように、データフレーム生成部１２、データフレーム生成部１５によって生成されるデータフレームＤＦが同一の情報データＤＡＴを複数（ここでは２つ）含んでもよい。このようにすると、データフレームＤＦの繰り返し送信回数を増加させた場合と同様の効果が得られるので便宜である。さらに、データフレームＤＦは、情報データＤＡＴの識別情報ＩＤ及び判定閾値ＴＨのそれぞれを複数含んでもよい。これらの情報は、上述のような情報データＤＡＴとして採用するビット列を得るための処理において重要な情報であり、受信装置Ｂ、Ｄによって確実に受信される必要があるからである。もちろん、データフレームＤＦは、送信元情報ＳＲＣ及び送信先（宛先）情報ＤＳＴのそれぞれを複数含んでもよい。
【００４３】
また、上述の実施形態（第１、第２実施形態）においては、一つの送信装置（送信装置Ａ、送信装置Ｃ）と一つの受信装置（受信装置Ｂ、受信装置Ｄ）とが示されている。しかし、これに限られるものではない。本発明によるデジタル情報伝送システムは、複数の送信装置と一つの受信装置とによって、又は、複数の送信装置と複数の受信装置とによっても構成され得る。この場合においても、各受信装置は、データフレームＤＦに含まれた送信元情報ＳＲＣ、送信先情報ＤＳＴ及び識別情報ＩＤを確認することにより、自分自身に向けて送信されたデータフレームＤＦについて、送信装置毎に、上述のような情報データＤＡＴとして採用するビット列を得るための処理を実行することができる。
【００４４】
さらにまた、本発明によるデジタル情報伝送システムは、複数の無線装置によっても構成され得る。この場合、前記複数の無線装置のうち、情報データＤＡＴを送信する無線装置が送信装置となり、前記情報データＤＡＴを受信する無線装置が受信装置となる。例えば、いわゆるＣＢＴＣシステムにおいて、列車に搭載された車上装置及び車上無線機が本発明によるデジタル情報伝送システムの送信装置及び受信装置の一方を構成し、地上側に設置された沿線無線機及び地上装置が本発明によるデジタル情報伝送システムの送信装置及び受信装置の他方を構成し得る。
【符号の説明】
【００４５】
１１…情報データ生成部、１２…データフレーム生成部、１３…無線通信部、１４…誤り検出符号化部、１５…データフレーム生成部、２１…無線通信部、２２…受信処理部、２３…受信処理部、Ａ、Ｃ…送信装置、Ｂ、Ｄ…受信装置
【図１】
2018133671.tif 000003
【図２】
2018133671.tif 000004
【図３】
2018133671.tif 000005
【図４】
2018133671.tif 000006
【図５】
2018133671.tif 000007
【図６】
2018133671.tif 000008
【図７】
2018133671.tif 000009
【図８】
2018133671.tif 000010
【図９】
2018133671.tif 000011
【図１０】
2018133671.tif 000012
【図１１】
2018133671.tif 000013